【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
ａ．液体経路を備えている第１の材料からなる円筒部と、
ｂ．該円筒部に接続されている近位端及び遠位端を備えている前記第１の材料に類する材料を含む移行部品と、
ｃ．周縁で作動されるフレキシブル逆止弁であって、第２の材料を備え、前記移行部品の前記遠位端に機械的に接続されて、前記液体経路に動作可能に接続されているフレキシブル逆止弁と、
を備えており、
ｄ．前記周縁で作動されるフレキシブル逆止弁が、非作動期間及び容器が圧縮力を受けている期間の両方の際に動作可能に接続されている前記容器からの前記液体の除去を実質的に防止することを特徴とする液体経路漏出防止装置。
【請求項２】
前記液体が、液体、ガス、ゲル、コロイド、粉体、及び粒子のうちのいずれかとされることを特徴とする請求項１に記載の液体経路漏出防止装置。
【請求項３】
前記移行部品が、結合技術を用いて前記近位端で前記円筒部に接続され、機械的方法を用いて前記遠位端で前記周縁で作動されるバルブ部に接続されていることを特徴とする請求項２に記載の液体経路漏出防止装置。
【請求項４】
前記円筒部が、飲料容器から液体を除去するためのストローとされることを特徴とする請求項２に記載の液体経路漏出防止装置。
【請求項５】
前記飲料容器が、ジュースボックスを備えていることを特徴とする請求項４に記載の液体経路漏出防止装置。
【請求項６】
前記飲料容器が、ジュースポーチを備えていることを特徴とする請求項４に記載の液体経路漏出防止装置。
【請求項７】
ａ．液体容器に動作可能に接続可能とされている内部液体経路を有しているチューブと、
ｂ．前記液体経路に機能的に接続されているリバースクロスビル形状のフレキシブル逆止弁と、
ｃ．該フレキシブル逆止弁を周縁で封止し、前記チューブに取り付けられている圧縮性のバルブ作動部材と、
を備えており、
ｄ．前記フレキシブル逆止弁が、非作動期間及び前記液体容器が圧縮力を受けている期間の両方の際に液体漏出を防止することを特徴とする液体経路漏出防止装置。
【請求項８】
前記圧縮性のバルブ作動部材が、ユーザーの口、唇、歯、又は指のうちのいずれかによって圧縮され得ることを特徴とする請求項７に記載の液体経路漏出防止装置。
【請求項９】
ａ．飲料容器に選択的に接続可能とされる内部液体経路を有している飲用ストローと、
ｂ．前記内部液体経路に機能的に接続されているリバースフレキシブル逆止弁と、
ｃ．圧縮バルブ作動部材と、
を備えており、
ｄ．前記ストローが前記飲料容器に接続されている場合に、前記フレキシブル逆止弁が、非作動期間及び前記飲料容器が圧縮力を受けている期間の両方の際に液体漏出を防止することを特徴とする飲用ストローの漏出防止システム。
【請求項１０】
前記バルブが、リバース状態で前記圧縮性のバルブ作動部材に内封されているフレキシブル逆止弁を備えていることを特徴とする請求項９に記載のストロー漏出防止システム。
【請求項１１】
前記リバースフレキシブル逆止弁が、ダックビル又はクロスビルのいずれかを備えていることを特徴とする請求項１０に記載のストロー漏出防止システム。
【請求項１２】
前記リバースフレキシブル逆止弁が、ノーマリー・クローズであることを特徴とする請求項９に記載のストロー漏出防止システム。
【請求項１３】
前記リバースフレキシブル逆止弁が、部分的に開放されていることを特徴とする請求項９に記載のストロー漏出防止システム。
【請求項１４】
前記部分的に開放されているバルブが、ダックビルバルブの各フラップ端部の除去によって形成されていることを特徴とする請求項１３に記載の飲用ストローの漏出防止システム。
【請求項１５】
開放時の補助のために、ローブが、前記ダックビル又はクロスビルの少なくとも２つのフラップに付加されていることを特徴とする請求項１１に記載のストロー漏出防止システム。
【請求項１６】
前記圧縮性のバルブ作動部材が、少なくとも前記バルブの一部を周縁で封止しているチューブのフレキシブル部を備えていることを特徴とする請求項９に記載の飲用ストローの漏出防止システム。
【請求項１７】
前記圧縮性のバルブ作動部材及び周縁で閉じられたバルブの液体経路の直径が、ストローの液体経路の直径よりも大きいことを特徴とする請求項１６に記載の飲用ストローの漏出防止システム。
【請求項１８】
前記圧縮性のバルブ作動部材が、ユーザーの口、唇、歯、又は指のうちのいずれかにより圧縮され得ることを特徴とする請求項９に記載の飲用ストローの漏出防止システム。
【請求項１９】
前記バルブ及び圧縮性のバルブ作動部材を備え、且つ、前記バルブが、前記ストローに取り付けられている付加的なチューブ部によって前記液体経路に機能的に接続されていることを特徴とする請求項９に記載の飲用ストローの漏出防止システム。
【請求項２０】
前記接続において、前記ストローと前記付加的なチューブ部との間に近位端及び遠位端を備えている移行部品がさらに付加されていることを特徴とする請求項１９に記載の飲用ストローの漏出防止システム。
【請求項２１】
前記移行部品が、結合技術を利用して前記近位端で前記ストローに接続されて、機械的方法を利用して前記遠位端で前記付加的なチューブ部に接続されていることを特徴とする請求項２０に記載の飲用ストローの漏出防止システム。
【請求項２２】
前記結合技術によって類似材料同士が接続され、前記機械的方法によって非類似材料同士が接続されることを特徴とする請求項２１に記載の飲用ストローの漏出防止システム。
【請求項２３】
前記結合技術が、超音波溶着を含むことを特徴とする請求項２１に記載の飲用ストローの漏出防止システム。
【請求項２４】
前記機械的方法によって、
前記移行部品の遠位端内に設けられている溝部に前記付加的なチューブ部のリップが挿通され、
一部を折り畳んで、前記リップが封止され、
前記折り畳まれた部分が硬化されることを特徴とする請求項２１に記載の飲用ストローの漏出防止システム。
【請求項２５】
前記バルブ及び圧縮性のバルブ作動部材が、単一部品として一体的に成形されていることを特徴とする請求項１６に記載の飲用ストローの漏出防止システム。
【請求項２６】
前記移行部品がポリエチレンから構成されて、前記一体的に成形された部品がシリコンから作製されていることを特徴とする請求項２５に記載の飲用ストローの漏出防止システム。
【請求項２７】
前記バルブ及び圧縮性のバルブ作動部材を含んでいる前記付加的なチューブ部が、溶接法、摩擦嵌合法、接着法、テルミット溶接法、及び熱収縮法のうち任意の方法によって前記ストローに取り付けられていることを特徴とする請求項１９に記載の飲用ストローの漏出防止システム。
【請求項２８】
前記付加的なチューブ部が、弾性体、シリコン、及び可撓性を有しているプラスチック材料のうちいずれか、又はこれらの組み合わせを備えていることを特徴とする請求項１９に記載の飲用ストローの漏出防止システム。
【請求項２９】
前記バルブが、前記ストロー内で前記バルブと圧縮性のバルブ作動部材とを一体化することによって、前記液体経路に機能的に接続されていることを特徴とする請求項９に記載の飲用ストローの漏出防止システム。
【請求項３０】
ａ．前記容器に動作可能に接続され、前記内容物除去のための導管を備えているチューブと、
ｂ．前記内容物が前記導管を通じて通過することを選択的に防止するように機能するリバースフレキシブル逆止弁と、
ｃ．  前記フレキシブル逆止弁を周縁で封止している圧縮性のバルブ作動部材と、
を備えており、
ｄ．前記フレキシブル逆止弁が、非作動期間及び前記容器が圧縮力を受けている期間の両方の際に前記内容物の除去を防止することを特徴とする容器内容物除去防止装置。
【請求項３１】
前記リバースフレキシブル逆止弁が、ダックビル又はクロスビルのいずれかを備えていることを特徴とする請求項３０に記載の容器内容物除去防止装置。
【請求項３２】
前記リバースフレキシブル逆止弁及び圧縮バルブ作動部材が、単一部品として一体的に成形されていることを特徴とする請求項３０に記載の容器内容物除去防止装置。
【請求項３３】
前記飲料容器がジュースボックス又はジュースポーチを備えていることを特徴とする請求項３０に記載の容器内容物除去防止装置。
【請求項３４】
ａ．液体経路を備え、入口端及び出口端を有している円筒部と、
ｂ．前記円筒部の出口端に接続されている近位端及び遠位端を備えている移行部品と、
ｃ．周縁で動作されるバルブ部であって、前記移行部品の前記遠位端に接続され、前記液体経路に動作可能に接続されているバルブ部と、
を備えており、
ｄ．前記周縁で動作されるバルブが、非作動期間及び前記バルブが加圧力を受けている期間の両方の際に、前記液体が前記バルブを通過して漏出することを実質的に防止することを特徴とする液体経路漏出防止装置。
【請求項３５】
前記液体が、液体、ガス、ゲル、コロイド、及び粒子のうちのいずれかとされることを特徴とする請求項３４に記載の液体経路漏出防止装置。
【請求項３６】
前記移行部品が、結合技術を利用して前記近位端で前記円筒部に接続され、機械的方法を利用して前記遠位端で前記周縁で作動されるバルブ部に接続されていることを特徴とする請求項３４に記載の液体経路漏出防止装置。
【請求項３７】
前記結合技術が類似材料間を接続するステップを備えており、前記機械的方法が非類似材料を接続するステップを備えていることを特徴とする請求項３６に記載の液体経路漏出防止装置。
【請求項３８】
前記結合技術が、超音波溶着を実施するステップを備えていることを特徴とする請求項３６に記載の液体経路漏出防止装置。
【請求項３９】
前記機械的方法が、
前記周縁で作動されるバルブ部のリップを前記移行部品の遠位端に設けられている溝部に挿入するステップと、
一部を折り畳み、前記リップを封止するステップと、
前記折り畳まれた部分の剛性を高めるステップと、
を備えていることを特徴とする請求項３６に記載の液体経路漏出防止装置。
【請求項４０】
液体経路を備えている前記円筒部が、ジュースボックス又はジュースポーチからユーザーまでの液体経路を備えている飲用ストローとされることを特徴とする請求項３６に記載の液体経路漏出防止装置。